(57)【特許請求の範囲】
【請求項１】
水処理機器と、水処理機器を浸漬する槽体と、槽体の内外にわたって昇降する吊り上げ装置を備え、吊り上げ装置を位置決めするための基準となる基準部として槽内外にわたって延びるガイドレールを有し、吊り上げ装置は、水処理機器を伴って槽体の内外にわたって昇降可能な本体部と、水処理機器の吊り部に着脱可能な接続部と、基準部のガイドレールに対して本体部を位置決めして接続部を水処理機器の吊り部に対応させる位置決め部を備え、水処理機器は基準部のガイドレールに沿って摺動する機器位置決め部を備え、吊り上げ装置を位置決めするための基準となる基準部が水処理機器を位置決めする基準部を兼ねていることを特徴とする水処理設備。
【請求項２】
水処理機器を伴って槽体の内外にわたって昇降可能な本体部と、水処理機器の吊り部に着脱可能な接続部と、槽内の基準部に対して本体部を位置決めして接続部を水処理機器の吊り部に対応させる位置決め部を備え、
接続部は、係合部を係合位置もしくは非係合位置に保持するロック部を有し、
ロック部は、係合部のストッパー部に係合可能なロック爪を有する昇降棒を備え、
基準部のガイドレールは、本体部の降下時にロック部の昇降棒を受け止めて、昇降棒をロック爪が係合部のストッパー部に係合しないロック解除位置に持ち上げるロック解除バーを有することを特徴とする水処理機器の吊り上げ装置。
【請求項３】
接続部は、水処理機器の吊り部に係合する係合位置と吊り部に係合しない非係合位置とにわたって変位可能な係合部と、係合部を槽外から変位操作する係合操作部を有することを特徴とする請求項２に記載の水処理機器の吊り上げ装置。
【請求項４】
水処理機器と、水処理機器を浸漬する槽体と、槽体の内外にわたって昇降する吊り上げ装置を備え、吊り上げ装置を位置決めするための基準となる基準部として槽内外にわたって延びるガイドレールを有し、吊り上げ装置は、水処理機器を伴って槽体の内外にわたって昇降可能な本体部と、水処理機器の吊り部に着脱可能な接続部と、基準部のガイドレールに対して本体部を位置決めして接続部を水処理機器の吊り部に対応させる位置決め部を備え、水処理機器は基準部のガイドレールに沿って摺動する機器位置決め部を備え、吊り上げ装置を位置決めするための基準となる基準部が水処理機器を位置決めする基準部を兼ねる水処理設備において、
水処理機器を伴って槽体の内外にわたって昇降可能な吊り上げ装置の本体部を、吊り上げ装置の位置決め部で槽内の基準部に対して位置決めすることにより、吊り上げ装置の接続部を水処理機器の吊り部に対応させることを特徴とする水処理機器の吊り上げ方法。
【発明の詳細な説明】
【技術分野】
【０００１】
本発明は水処理設備および水処理機器の吊り上げ装置に関し、下水処理、工場廃水処理、浄水処理、その他の水処理を行なう水処理機器に係る技術である。
【背景技術】
【０００２】
従来、この種の水処理機器には膜分離装置等があり、水槽内に水没して設置するものであるために、メンテナンスや交換等のためには水槽内から水処理機器を引き上げる必要がある。このような場合には、水槽内の液体を排出して水処理機器を液面上に露出させたうえで、吊り上げ装置と水処理機器を連結し、クレーン等により吊り上げ装置と水処理機器を一体的に引き上げている。
【０００３】
また、図２０に示すように、水槽７０１の内部に水没して設置する水処理機器７０２を水槽７０１の内部の液体を排出せずに取り出すための構成として、チェーン等の牽引具７０３の一端を水処理機器７０２に連結し、牽引具７０３の他端を液面より上方の位置に取り出して配置するものがある。
【０００４】
先行技術文献としては特許文献１がある。この特許文献１では、曝気槽内に設置する膜ユニットが濾過水配管と吸引管との接続部に自動着脱継手を介在させており、曝気槽と洗浄槽との間の上方部にレールを配置し、自動ロック式クランプ装置を備えたホイストをレール上で移動可能に設けている。膜ユニットにはクランプ装置でクランプするための吊りピースを取り付けている。
【先行技術文献】
【特許文献】
【０００５】
【特許文献１】特開平１１−３０９３５０号公報
【発明の概要】
【発明が解決しようとする課題】
【０００６】
しかしながら、水槽内の液体を排出して水処理機器を液面上に露出させる場合に、水槽内の液体はその状態で公共下水路へ排出することはできないので、排出する液体を一時的に貯留する水槽または排水を受け入れる処理設備が必要である。また、吊り上げ装置と水処理機器との連結作業は水槽の外部から行なうことはできず、作業者が水槽内に入って連結作業を行なう必要があった。
【０００７】
図２０に示すように、予め牽引具７０３を水処理機器７０１に接続しておく場合には、水槽７０１から水処理機器７０２を搬出するための吊り上げ代が水処理機器７０１の全高と牽引具７０３の長さとを合わせた距離となり、この吊り上げ代を水槽７０１の上方の作業空間に確保する必要がある。
【０００８】
作業空間に十分な吊り上げ代を確保できない場合には、クレーン等７０４により吊り上げ装置を限界位置まで引き上げた状態でも、図２０（ｂ）に示すように、水処理機器７０２が水槽７０１の内部に位置する状態となり、水処理機器７０２を完全に水槽７０１の外へ搬出するためには吊り上げ装置７００に接続する牽引具７０３の連結位置を変更するための吊り替え作業が必要であった。
【０００９】
特許文献１のように、クランプ装置を使用するものでは、水処理機器を水深の深い位置に設置する場合や液体が汚泥等の濁ったものである場合に、液体中に没している水処理機器の吊りピースを液面上から目視できないので、クランプ装置を吊りピースに対応する位置に正確に降ろすことが困難であり、クランプ装置が吊りピースを確実に把持したか、否かを視認することができない。
【００１０】
本発明は上記の課題を解決するものであり、液体中に没して目視することのできない状態の水処理機器を水槽外から正確に操作することができる水処理設備および水処理機器の吊り上げ装置を提供することを目的とする。
【課題を解決するための手段】
【００１１】
上記課題を解決するために、本発明の水処理設備は、水処理機器と、水処理機器を浸漬する槽体と、槽体の内外にわたって昇降する吊り上げ装置を備え、吊り上げ装置を位置決めするための基準となる基準部として槽内外にわたって延びるガイドレールを有し、吊り上げ装置は、水処理機器を伴って槽体の内外にわたって昇降可能な本体部と、水処理機器の吊り部に着脱可能な接続部と、基準部のガイドレールに対して本体部を位置決めして接続部を水処理機器の吊り部に対応させる位置決め部を備え、水処理機器は基準部のガイドレールに沿って摺動する機器位置決め部を備え、吊り上げ装置を位置決めするための基準となる基準部が水処理機器を位置決めする基準部を兼ねていることを特徴とする。
【００１２】
本発明の水処理機器の吊り上げ装置は、水処理機器を伴って槽体の内外にわたって昇降可能な本体部と、水処理機器の吊り部に着脱可能な接続部と、槽内の基準部に対して本体部を位置決めして接続部を水処理機器の吊り部に対応させる位置決め部を備え、ロック部は、係合部のストッパー部に係合可能なロック爪を有する昇降棒を備え、基準部のガイドレールは、本体部の降下時にロック部の昇降棒を受け止めて、昇降棒をロック爪が係合部のストッパー部に係合しないロック解除位置に持ち上げるロック解除バーを有することを特徴とする。
【００１３】
また、本発明の水処理機器の吊り上げ装置において、接続部は、水処理機器の吊り部に係合する係合位置と吊り部に係合しない非係合位置とにわたって変位可能な係合部と、係合部を槽外から変位操作する係合操作部を有することを特徴とする。
【００１４】
本発明の水処理機器の吊り上げ方法は、水処理機器と、水処理機器を浸漬する槽体と、槽体の内外にわたって昇降する吊り上げ装置を備え、吊り上げ装置を位置決めするための基準となる基準部として槽内外にわたって延びるガイドレールを有し、吊り上げ装置は、水処理機器を伴って槽体の内外にわたって昇降可能な本体部と、水処理機器の吊り部に着脱可能な接続部と、基準部のガイドレールに対して本体部を位置決めして接続部を水処理機器の吊り部に対応させる位置決め部を備え、水処理機器は基準部のガイドレールに沿って摺動する機器位置決め部を備え、吊り上げ装置を位置決めするための基準となる基準部が水処理機器を位置決めする基準部を兼ねる水処理設備において、
水処理機器を伴って槽体の内外にわたって昇降可能な吊り上げ装置の本体部を、吊り上げ装置の位置決め部で槽内の基準部に対して位置決めすることにより、吊り上げ装置の接続部を水処理機器の吊り部に対応させることを特徴とする。
【発明の効果】
【００１５】
以上のように本発明によれば、吊り上げ装置と水処理機器との脱着を目視確認することができない液中部においても、吊り上げ装置の接続部を水処理機器の吊り部に確実に対応させることができ、槽内の液体を槽外へ排出する必要がなくなる。
【００１６】
吊り上げ装置を水処理機器に直接固定するので、水槽から水処理機器を搬出するための吊り上げ代が概ね水処理機器の全高となり、吊り上げ代を水槽の上方の作業空間に確保することが容易であり、従来のように牽引具の連結位置を変更する必要がなくなる。
【図面の簡単な説明】
【００１７】
【図１】本発明の実施の形態における水処理機器の吊り上げ装置を示す模式図
【図２】同吊り上げ装置を示す斜視図
【図３】同吊り上げ装置の要部を示す斜視図
【図４】同吊り上げ装置のロック状態を示す斜視図
【図５】同吊り上げ装置のロック解除状態を示す斜視図
【図６】本発明の他の実施の形態における水処理機器の吊り上げ装置を示す平面図
【図７】同吊り上げ装置を示す側面図
【図８】同吊り上げ装置の接続部の動作を示す側面図
【図９】本発明の他の実施の形態における水処理機器の吊り上げ装置を示す斜視図
【図１０】本発明の他の実施の形態における水処理機器の吊り上げ装置の要部を示す斜視図
【図１１】本発明の他の実施の形態における水処理機器の吊り上げ装置の要部を示す斜視図
【図１２】本発明の他の実施の形態における水処理機器の吊り上げ装置の要部を示す斜視図
【図１３】本発明の他の実施の形態における水処理機器の吊り上げ装置の要部を示す斜視図
【図１４】同吊り上げ装置の要部を示す斜視図
【図１５】本発明の他の実施の形態における水処理機器の吊り上げ装置の要部を示す斜視図
【図１６】本発明の他の実施の形態における水処理機器の吊り上げ装置の要部を示す斜視図
【図１７】本発明の他の実施の形態における水処理機器の吊り上げ装置の要部を示す斜視図
【図１８】本発明の他の実施の形態における水処理機器の吊り上げ装置の要部を示す斜視図
【図１９】同実施の形態における水処理機器の吊り上げ装置の作用を示す平面図
【図２０】従来の水処理機器の吊り上げ装置の要部を示し、（ａ）は吊り上げ前、（ｂ）は吊り上げ完了を示す正面図
【発明を実施するための形態】
【００１８】
以下、本発明の実施の形態を図面に基づいて説明する。図１から図５に示すように、水処理設備は、浸漬型膜分離装置等の水処理機器１と、被処理液を貯留して水処理機器１を浸漬する処理槽２と、水処理機器１を処理槽２の内外にわたって昇降させる吊り上げ装置３と、吊り上げ装置３を昇降駆動するホイストクレーン等の揚重機４を備えており、揚重機４のワイヤー、チェーン等の索体４１で吊り上げ装置３を懸垂支持している。揚重機４はレール等に沿って水平方向に移動可能である。
【００１９】
吊り上げ装置３は、水処理機器１を伴って処理槽２の内外にわたって昇降可能な四角形の枠状をなす本体部３１を有しており、本体部３１はワイヤー、チェーン等の索体３１１および吊り環３１２を有し、吊り環３１２に揚重機４の索体４１の先端に取り付けたフック４２が掛かっている。本体部３１は、水処理機器１の平面形状の四角形と略等しい形状をなして、水処理機器１の吊り部１１に着脱可能な接続部３２を備えており、水処理機器１の吊り部１１は断面四角形の桟材１１１に係止孔１１２を設けたものである。
【００２０】
接続部３２は本体部３１の四隅のそれぞれに配置した係合部３３を備えている。係合部３３は、軸部３３１を本体部３１に対して軸心廻りに回転自在に配置してあり、軸部３３１の下端に吊り部１１の係止孔１１２に挿入可能な係合爪３３２を有し、軸部３３１の上端に本体部３１に当接する複数のストッパー部３３３を有しており、ストッパー部３３３は軸部３３１の周囲に放射状に設けている。係合部３３は軸部３３１の軸心廻りに回転することで、係合爪３３２が吊り部１１に係合する係合位置と吊り部１１に係合しない非係合位置とにわたって回動して変位する。
【００２１】
接続部３２は係合部３３を槽外から変位操作する係合操作部３４を有しており、係合操作部３４は本体部３１に配置したドライブ軸３４１とドライブ軸３４１を回転駆動するベルト３４２を有し、ドライブ軸３４１と係合部３３との間をリンク、カム、ギヤ等によって連動可能に連結している。
【００２２】
接続部３２は係合部３３を係合位置もしくは非係合位置に保持するロック部３５を有しており、ロック部３５は本体部３１に上下動自在に配置したロッド３５１と、ロッド３５１に固定した昇降棒３５２と、昇降棒３５２に設けたロック爪３５３を有し、ロック爪３５３が係合部３３のストッパー部３３３に係合するロック位置とロック解除位置とにわたって上下動して変位する。
【００２３】
処理槽２の内部には上下方向に延びる断面四角形の一対のガイドレールからなる基準部２１を設け、本体部３１には断面Ｕ字状の位置決め部３６を設けており、位置決め部３６が基準部２１のガイドレールに当接することで、基準部２１に対して本体部３１が位置決めされるとともに、接続部３２の係合部３３が水処理機器１の吊り部１１に対応する。
【００２４】
本実施の形態では基準部２１のガイドレールに沿って位置決め部３６が摺動することで、本体部３１は槽内外にわたって直線的に移動し、槽内の定位置に確実に到達する。しかしながら、基準部２１はガイドレールに代えて槽内に配置したブロックとすることも可能であり、この場合には本体部３１を槽内に沈めた後に索体等により本体部３１を引き寄せて位置決め部３６を基準部２１のブロックに当接させて位置決めする。また、基準部２１は処理槽２の槽内壁面とし、本体部３１に処理槽２の槽内壁面に当接するローラ等の位置決め部３６を設けることも可能である。
【００２５】
基準部２１のガイドレールにはロック解除バー２２が水処理機器１から上方へ所定距離を隔てた位置に固定してあり、本体部３１の降下時にロック部３５の昇降棒３５２をロック解除バー２２が受け止めることで、ロック爪３５３が係合部３３のストッパー部３３３に係合しないロック解除位置に持ち上げられ、ロック解除状態で係合部３３の係合爪３３２が吊り部１１の係止孔１１２に挿入される。水処理機器１には機器位置決め部１２が設けてあり、機器位置決め部１２が基準部２１のガイドレールに沿って摺動することで、水処理機器１が槽内外にわたって直線的に移動し、槽内の定位置に確実に到達する。
【００２６】
ところで、吊り上げ装置３と水処理機器１のそれぞれに対応する基準部を別途に設けた場合には、それぞれの基準部の据付誤差を考慮して吊り上げ装置３の位置決め部３６と基準部２１との隙間を設定する必要があり、結果として位置決め部３６と基準部２１の隙間が大きくなる。
【００２７】
しかし、本発明のように、吊り上げ装置３の位置決め部３６と水処理機器１の機器位置決め部１２が基準部２１を共用することで、つまり、吊り上げ装置３を位置決めするための基準となる基準部２１が水処理機器１を位置決めする基準部を兼ねることで、位置決め部３６と基準部２１の隙間を小さくできるので、水処理機器１の昇降の際に生じる振動を抑制でき、振動に起因する吊り上げ装置３や水処理機器１での応力の発生が抑えられる。
【００２８】
また、吊り上げ装置３の位置決め部３６と水処理機器１の機器位置決め部１２が基準部２１を共用することで装置の構造が簡素化できる。さらに、水処理機器１が処理槽２の内部で吊り上げ装置３と同じ基準部２１に位置決めされることで、吊り上げ操作時に、吊り上げ装置３のみを処理槽２に降下させる際に、水処理機器１の吊り部１１に吊り上げ装置３の接続部３２を正確に対応させることができる。
【００２９】
以下、上記した構成における作用を説明する。図１に示すように、処理槽２の内部に設置された水処理機器１は、設置時に吊り上げ装置３を使用することにより、処理槽２の定位置に配置されている。
【００３０】
この水処理機器１を取り出す場合には、図２に示すように、揚重機４から索体４１を繰り出し、基準部２１のガイドレールで位置決め部３６を案内しながら吊り上げ装置３を処理槽２の内部に降下させる。吊り上げ装置３は位置決め部３６が基準部２１のガイドレールに沿って摺動することで、槽外から槽内へ直線的に移動し、槽内の水処理機器１の上端面の定位置に確実に到達する。
【００３１】
このため、吊り上げ装置３と水処理機器１との脱着を目視確認することができない液中部においても、吊り上げ装置３の接続部３２を水処理機器１の吊り部１１に確実に対応させることができ、槽内の液体を槽外へ排出する必要がなくなる。
【００３２】
吊り上げ装置３が降下する際には、ロック爪３５３が係合部３３のストッパー部３３３に係合したロック状態で係合爪３３２の姿勢を保持し、係合爪３３２を確実に吊り部１１の係止孔１１２に人手によらずして挿入する。この後、図５に示すように、吊り上げ装置３がさらに降下すると本体部３１に設けたロック部３５の昇降棒３５２を基準部２１のロック解除バー２２が受け止めることで、ロック爪３５３が係合部３３のストッパー部３３３に係合しないロック解除位置に持ち上げられ、ロック解除状態となる。
【００３３】
次に、ベルト３４２を操作してドライブ軸３４１を駆動し、係合部３３を回動させて係合爪３３２を非係合位置から係合位置に変位させ、軸部３３１の軸心方向において係合爪３３２を桟材１１１で係止する。この状態で揚重機４の索体４１を巻き上げて、吊り上げ装置３および水処理機器１を槽外へ引き上げる。
【００３４】
吊り上げ装置３が上昇する途中において本体部３１に設けたロック部３５の昇降棒３５２が基準部２１のロック解除バー２２から離間することで、ロック爪３５３が係合部３３のストッパー部３３３に係合するロック位置に下がり、ロック状態となる。
【００３５】
上述の工程で、液面上からは係止爪３３２が係止孔１１２に挿入されたか否かは目視確認できない。しかし、ロック部３５は、昇降棒３５２が基準部２１のロック解除バー２２に当接する所定位置まで吊り上げ装置３が降下しない限り解除されないので、錯誤により吊り上げ装置３が水処理機器１に到達したと思って係合操作部３４を操作しても係合部３３は動かず、係合操作部３４の操作の可否により係止爪３３２が係止孔１１２に挿入されたか否かを判断できる。
【００３６】
吊り上げ装置３が上昇する途中において、ロック部３５の昇降棒３５２が基準部２１のロック解除バー２２から離間し、ロック爪３５３が係合部３３のストッパー部３３３に係合するロック位置に降下してロック状態となる。
【００３７】
このように、吊り上げ装置３を水処理機器１と直接固定するので、処理槽２から水処理機器１を搬出するための吊り上げ代が概ね水処理機器１の全高となり、吊り上げ代を処理槽２の上方の作業空間に確保することが容易であり、従来のように牽引具の連結位置を変更する必要がなくなる。
【００３８】
この水処理機器１を設置する場合には、揚重機４から索体４１を繰り出し、基準部２１のガイドレールで位置決め部３６を案内しながら水処理機器１を伴った吊り上げ装置３を処理槽２の内部に降下させ、水処理機器１を処理槽２の定位置に配置する。
【００３９】
吊り上げ装置３が降下する途中において、本体部３１に設けたロック部３５の昇降棒３５２を基準部２１のロック解除バー２２が受け止めることで、ロック爪３５３が係合部３３のストッパー部３３３に係合しないロック解除位置に持ち上げられる。
【００４０】
次に、ベルト３４２を操作してドライブ軸３４１を駆動し、係合部３３を回動させて係合爪３３２を係合位置から非係合位置に変位させ、この状態で揚重機４の索体４１を巻き上げて、吊り上げ装置３を槽外へ引き上げる。
【００４１】
上述の工程で、液面上からは水処理機器１が所定位置に達したか否かは目視確認できない。しかし、ロック部３５は、昇降棒３５２が基準部２１のロック解除バー２２に当接する所定位置まで吊り上げ装置３が降下しない限り解除されないので、錯誤により水処理機器１が所定位置に到達したと思って係合操作部３４を操作しても係合部３３は動かず、係合操作部３４の操作の可否により水処理機器１が所定位置に到達したか否かを判断できる。
【００４２】
上述した実施の形態における係合操作部３４は、図６から図８に示すように、Ｔ形操作ハンドル５００とすることも可能である。この場合に係合部３３には磁石５０１を設置し、Ｔ形操作ハンドル５００の下端を磁石５０１で係合部３３に連結するが、磁石５０１の磁力をガイドとして利用してＴ形操作ハンドル５００を導くことができる。磁石５０１を使用しない場合にはガイドパイプ等の誘導体を設置する。また、図６から図８に示すように、係合部３３および吊り部１１はフック５０２、５０３に形成することも可能である。
【００４３】
図９に示すように、係合部３３を固定したＬ字型のフック５０４として形成するとともに、吊り部１１もＬ字型の固定物に対応する形状（図示省略）とすることも可能である。  この構成では、吊り上げ装置３を水平方向に移動させて係合部３３のＬ字型のフック５０４を吊り部１１に係合させる。このため、位置決め部３６は図１５に示すように、基準部２１に一方向から当接する平板５０５とし、吊り上げ装置３を所定位置まで降下させた後に、索体等により吊り上げ装置３を水平方向に引き寄せて平板５０５を基準部２１に押し当てることで位置決めし、係合部３３と吊り部１１を係合させる。位置決め部３６は図１６に示すように、基準部２１に一方向から当接するＬ字型板５０６とすることも可能であり、図１７に示すように、基準部２１を一対のガイドロッド５０７とし、ガイドロッド５０７の間に位置決め部３６の平板５０８を誘導することも可能である。
【００４４】
図１０に示すように、係合部３３は回転軸５０９の軸心周りに回転できるように設置したフック５１０とすることも可能であり、フック５１０の一端に連結したロッド５１１の押し引きによりフック５１０を回動させて吊り部１１の環部５１２に係合させる。
【００４５】
図１１に示すように、係合部３３を回転軸５０９の軸心周りに回転できるように設置したフック５１３とし、ばね等の付勢手段により吊り部１１の環部５１５に係合する方向に付勢し、フック５１３の一端に連結した索体５１４の引きによりフック５１３を回動させて吊り部１１の環部５１５に対して係合と離脱を行うことも可能である。
【００４６】
図１８および図１９に示すように、係合部３３を回転軸７０１の軸心周りに回転自在に設置したブロック７０２とし、水処理機器１の上端縁にＬ字状の吊り部７０３を設け、ブロック７０２を回動させて吊り部７０３に対して係合と離脱を行うことも可能である。
【００４７】
図１２に示すように、係合部３３にレバー５１９を設け、レバー５１９に係合操作部３４として操作ロッド５２０を連結し、レバー５１９に形成した孔５２１に挿入するロック用ロッド５２２を本体部３１に設けることも可能である。この場合にはレバー５１９の孔５２１にロック用ロッド５２２を挿入してロック状態とし、レバー５１９の孔５２１からロック用ロッド５２２が抜け出るロック解除状態で操作ロッド５２０を押し引きして係合部３３を操作する。
【００４８】
この構成では、吊り上げ装置３が水処理機器１に到達した時にロック用ロッド５２２の先端が水処理機器１に当接してロック用ロッド５２２が上部に持ち上げられる。つまり、吊り上げ装置３が所定位置まで降下した時にのみロックが解除され、レバー５１９が回転できる。よって、吊り上げ装置３と水処理機器１との脱着を目視確認することができない液中部においても、吊り上げ装置３と水処理機器１を確実に対応させることができる。
【００４９】
図１３および図１４に示すように、ロック部３５は、ドライブ軸３４１にブロック５２３を設け、ブロック５２３に遊嵌するロック環５２４を索体５２５で吊り下げ、ロック環５２４にブロック５２３の回転を阻止するロック領域５２６とブロック５２３の回転を許容するロック解除領域５２７を設けて構成することも可能である。
【００５０】
この場合には、図１３に示すように、ロック環５２４を索体５２５で引き上げてロック領域５２６をブロック５２３に対応させてロック状態とし、索体５２５を緩めてロック環５２４を下げることでロック解除領域５２７をブロック５２３に対応させてロック解除状態とする。
【００５１】
索体５２５の先端に吊り環３１２に結合させておくと、吊り上げ装置３を降ろしている時は索体５２５に張力が働くので、図１３のようにロック状態となる。吊り上げ装置３が所定位置まで降下すれば、索体５２５に働いていた張力がなくなり、図１４のようにロック解除となる。
【００５２】
このように、吊り上げ装置３が所定位置まで降下した時にのみロックが解除されることで、吊り上げ装置３と水処理機器１との脱着を目視確認することができない液中部においても、吊り上げ装置３を水処理機器１に確実に対応させることができる。
【符号の説明】
【００５３】
１    水処理機器
２    処理槽
３    吊り上げ装置
４    揚重機
１１    吊り部
１２    機器位置決め部
２１    基準部
２２    ロック解除バー
３１    本体部
３２    接続部
３３    係合部
３４    係合操作部
３５    ロック部
３６    位置決め部
４１    索体
４２    フック
１１１    桟材
１１２    係止孔
３１１    索体
３１２    吊り環
３３１    軸部
３３２    係合爪
３３３    ストッパー部
３４１    ドライブ軸
３４２    ベルト
３５１    ロッド
３５２    昇降棒
３５３    ロック爪
５００    Ｔ形操作ハンドル
５０１    磁石
５０２、５０３、５０４  フック
５０５、５０８    平板
５０６    Ｌ字型板
５０７    ガイドロッド
５０９    回転軸
５１０、５１３    フック
５１１    ロッド
５１２、５１５    環部
５１４、５２５    索体
５１９    レバー
５２０    操作ロッド
５２１    孔
５２２    ロック用ロッド
５２３    ブロック
５２４    ロック環
５２６    ロック領域
５２７    ロック解除領域
７０１    回転軸
７０２    ブロック
７０３    吊り部
【図１】
0005606166.tif 000002
【図２】
0005606166.tif 000003
【図３】
0005606166.tif 000004
【図４】
0005606166.tif 000005
【図５】
0005606166.tif 000006
【図６】
0005606166.tif 000007
【図７】
0005606166.tif 000008
【図８】
0005606166.tif 000009
【図９】
0005606166.tif 000010
【図１０】
0005606166.tif 000011
【図１１】
0005606166.tif 000012
【図１２】
0005606166.tif 000013
【図１３】
0005606166.tif 000014
【図１４】
0005606166.tif 000015
【図１５】
0005606166.tif 000016
【図１６】
0005606166.tif 000017
【図１７】
0005606166.tif 000018
【図１８】
0005606166.tif 000019
【図１９】
0005606166.tif 000020
【図２０】
0005606166.tif 000021